(57)【要約】【課題】  入室者が靴底に塵埃や毛髪を付着した状態でクリーンルーム内に塵埃等を持ち込むことを防止し、且つ既設の建屋に設置する場合でも、建屋の床を掘り下げる等の工事を不要として据付コストの低減を図ることができるエアシャワ装置を提供する。【解決手段】  通路床６の両側に置かれる本体ケース２，３の側面には、エアジェット用ファン９の作動によって生じる通路床６の床面を這う気流Ｆ２のための吹出し口７と吸込み口８とが対向して開口している。エアジェット気流Ｆ１により入室者の衣服に付着している塵埃や毛髪が吹き飛ばされて通路床６の床面に落下した塵埃や毛髪は、エアシャワ室５内で、気流Ｆ２によって捕集されて速やかに回収されるので、入室者の靴底に再付着してクリーンルーム内に持ち込まれることを防止できる。また、グレーチング床にする必要がないので、床下工事を行わなくとも既設の建屋の通路床をそのまま利用できる。【選択図】        図１
2006010121.tif 000002
【特許請求の範囲】
【請求項１】
両側の本体ケース及び前記両本体ケースと繋がる天井ケースから成り通路床上にエアシャワ室を門型に囲むシャワケースを備え、前記エアシャワ室の前記両本体ケースの側壁下部に気流の吹出し口と吸込み口とが互いに対向開口する態様で設けられていることから成るエアシャワ装置。
【請求項２】
前記本体ケースの一方には、前記吸込み口から前記気流を吸い込む吸込みファンが設けられていることから成る請求項１に記載のエアシャワ装置。
【請求項３】
前記本体ケースの他方には、前記吹出し口から前記気流を吹き出す吹出しファンが設けられていることから成る請求項２に記載のエアシャワ装置。
【請求項４】
前記吸込みファンは、前記両本体ケースの上方に設けられたエアジェッ孔から前記エアシャワ室内にエアジェット気流を吹き出すためのエアジェット用ファンであることから成る請求項２又は３に記載のエアシャワ装置。
【請求項５】
前記エアシャワ室の出入口にはそれぞれ開閉可能なドアが設置されており、前記ドアの開閉に応答して前記吹き出し口と前記吸込み口とを通じて流れる気流を制御することから成る請求項１に記載のエアシャワ装置。
【請求項６】
前記吸込みファンは、少なくとも前記入口に設けられた前記ドアが開いてから前記出口に設けられた前記ドアが閉まるまでの期間、運転継続されることから成る請求項５に記載のエアシャワ装置。
【発明の詳細な説明】
【技術分野】
【０００１】
本発明は、食品等の清浄を好む製品の製造を行うための清浄作業室の出入口に設置され、特に通路床面も建屋床と共用している清浄作業室の出入口に設置するのに好適なエアシャワ装置に関する。
【背景技術】
【０００２】
特に、飲料や食品等の製品の製造・加工・包装の分野においては、製品への異物混入の完全防止が求められる。そのため、食品の製造・加工・包装を行う作業室は、通常、クリーンルームとして作られている。そうした清浄作業室の出入り口にはエアシャワ室が設置されており、エアシャワ室に入室者に対してエアジェットを吹き付けることにより、作業服等に付着した塵埃をエアジェットによって吹き飛ばすことで、そうした塵埃が清浄作業室内に持ち込まれることを防止している。
【０００３】
しかしながら、上記のエアシャワ室においては、エアジェット気流の停止と同時に室内の空気の吸込みも停止するため、吸込み停止時に室内に浮遊している塵埃や毛髪は床面に落下していた。その後の入室者がエアシャワ室内に入室すると、床面に落下した毛髪等の塵埃を靴で踏み、塵埃を靴底に付着した状態でクリーンルーム内に持ち込む恐れがあった。それを防止するには管理者が、床面を定期的に清掃していた。
【０００４】
床面に塵埃が残るのを防止するため、従来、床面にグレーチングケース等を設け、床面吸込み構造とする対策が講じられている。格子状の床面を吸込み口にして、入出者から落下した塵埃や毛髪を床面上に残すことなく回収することを図っている。しかしながら、グレーチング構造にするにはグレーチングケースを床下に配置するだけのスペースを出入り口の下方に確保しなければならない。クリーンルームを新設する場合はともかく、既設の建屋に設置する場合には、グレーチングケースを埋め込むだけのスペースを形成するため、床下の地面を掘り下げる工事が必要であり据付コストが高くなるという問題がある。
【０００５】
エアシャワ室の側壁面に設けられた噴出孔から清浄圧力空気を室内に噴射し、床面と室の側壁面との吸引孔から室内空気を吸引すること、及び側壁面と床面とのそれぞれの吸引孔からの吸引風量の比を調整可能として、浮遊する塵埃と床面に落下する塵埃とを効率的に吸引除去することが提案されている（特許文献１）。
【０００６】
入室者に向けてクリーンエアを吹き出すようにエア吹き出し口を入室者の周囲を囲む環状に配置し、エア吹き出し口を入室者の頭部から足下に当たるように、上下に移動させて、塵埃除去効率を向上し、塵埃の再付着を防止し、塵埃が混入したエアがクリーンルーム内への漏れを防止するエアシャワ装置が提案されている（特許文献２）。
【０００７】
エアシャワ室の下部に対向して設けられる空気の吸引口と、エアシャワ室上部に設置された空気吸引ファンと、エアシャワ室側部に配置され浄化空気を室内に噴射する噴射ノズルとから構成され、エアシャワ装置の横幅を可及的に狭めた浄化空気供給機構が提案されている（特許文献３）。
【０００８】
エアシャワ室側方に配置された浄化空気供給機構により室内の空気を吸引し、浄化された空気を噴射するエアシャワ装置であって、浄化空気供給機構は下部に室床面と略々同一面とした窪み部を備え、エアシャワ室内の空気をその窪み部を介して吸引することにより、エアシャワ室内の塵埃を床面に落下蓄積されるのを防止するエアシャワ装置が提案されている（特許文献４）。
【０００９】
エアシャワ室の床に除去された汚染物質が通過する開口部を設け、床の下方に開口部を通過した汚染物質を側方へ移動させる気流を与えるエアノズルを備え、エアシャワ室の床に汚染物質が堆積することを防止し、床面の清掃作業を軽減したエアシャワ装置が提案されている（特許文献５）。
【特許文献１】特開平５−１４１７３２号公報（段落［０００８］〜［００１２］、図  １〜図６）
【特許文献２】特開平１１−３４４２４３号公報（段落［００２１］〜［００３０］、図１〜図４）
【特許文献３】特開２００２−１４７８０９号公報（段落［００１１］〜［００１７］、図１〜図６）
【特許文献４】特開２００２−１４７８１０号公報（段落［００２０］〜［００２２］、図１〜図４）
【特許文献５】特開２００３−２７９０９５号公報（段落［００２３］〜［００２５］、図１、図２）
【発明の開示】
【発明が解決しようとする課題】
【００１０】
そこで、グレーチング床構造でなく既設の建屋の通路床であっても、清浄作業室から出入りする者から落下した毛髪等の塵埃を、床上に残したままにせず、気流を用いて回収する点で解決すべき課題がある。
【００１１】
この発明の目的は、エアジェット作動中に浮遊した毛髪等の塵埃を速やかに捕集し、また落下した塵埃を自動的に回収し入室者の靴底に付着しクリーンルーム内に塵埃を持ち込むことを防止すると共に、建屋の通路床をそのまま使用した状態で設置可能とした据付コストの安価なエアシャワ装置を提供することである。
【課題を解決するための手段】
【００１２】
上記の課題を解決するため、この発明によるエアシャワ装置は、両側の本体ケース及び前記両本体ケースと繋がる天井ケースから成り通路床上にエアシャワ室を門型に囲むシャワケースを備え、前記エアシャワ室の前記両本体ケースの側壁下部に気流の吹出し口と吸込み口とが互いに対向開口する態様で設けられていることから成っている。
【００１３】
このエアシャワ装置によれば、エアシャワ室は、グレーチング床上ではなく通常の通路床上に、両側の本体ケース及び前記両本体ケースと繋がる天井ケースによって門型に囲まれて形成される。両本体ケースの側壁下部には、気流の吹出し口と吸込み口とが互いに対向開口する態様で設けられている。したがって、一方の本体ケースの下部に開口する吹出し口からエアシャワ室に吹き出した気流は、通路床上を這うように流れて他方の本体ケースの側壁下部に開口する吸込み口に流れていく。そのとき、通路床上に落ちている塵埃や毛髪は気流に捕集されながら吸込み口に吸込まれる。その結果、通路床は気流によって清掃され、塵埃等が入室者の靴底に付着したまま清浄作業室に持ち運ばれることがない。
【００１４】
上記のエアシャワ装置において、側壁ケースの一方には吸込み口から気流を吸い込む吸込みファンを設けることができる。このような構成の場合には、吸込みファンによる吸引作用によって、吹出し口からエアシャワ室に吸い出された気流が通路床上を這うように流れて吸込み口に吸い込まれる。
【００１５】
上記の吸込みファンが設けられているエアシャワ装置において、側壁ケースの他方には吹出し口から気流を吹き出す吹出しファンを設けることができる。このような構成の場合には、吸込みファンによる吸引作用と吹出しファンの吹出し作用とによって、吹出し口からエアシャワ室に吹き出されて通路床上を這うように流れた後、吸込み口に吸い込まれる確実な気流が生じる。
【００１６】
少なくとも吸込みファンが設けられているこのエアシャワ装置において、吸込みファンとして、両側壁ケースの上方に設けられたエアジェッ孔からエアシャワ室内にエアジェット気流を吹き出すためのエアジェット用ファンを用いることができる。即ち、吸込みファンとしてエアジェット用ファンを用いることによって、エアシャワ室に通常、配置されているエアジェット用ファンをそのまま、通路床上を這う気流を生じさせる吸込みファンとして利用することができる。吸込みファンによって吸い込まれた気流は、そのままシャワケース内を送られて、両側壁ケースの上方に設けられたエアジェッ孔からエアシャワ室内にエアジェット気流として吹き出される。エアジェット気流を浴びた作業者から吹き落とされた塵埃は床面に落下され、通路床上を這うように流れる気流に捕集される。
【００１７】
このエアシャワ装置において、エアシャワ室の出入口にはそれぞれ開閉可能なドアが設置されており、ドアの開閉に応答して吹き出し口と吸込み口とを通じて流れる気流を制御することができる。外部と清浄作業室との出入り口には、それぞれ開閉可能なドアが設置し、作業者が出入りするときに、吹き出し口と吸込み口とを通じて流れる気流を制御することで、通路床上に落ちている可能性がある毛髪等の塵埃を通路床上を這うように流れる気流にて補集することができ、作業者の靴底に付着する可能性を可及的に少なくすることができる。
【００１８】
ドアの開閉に応答して気流を制御するエアシャワ装置において、吸込みファンは、少なくとも入口に設けられたドアが開いてから出口に設けられたドアが閉まるまでの期間、運転継続されることができる。吸込みファンは、例えばドアの開扉スイッチが操作されたときに運転開始され入口に設けられたドアが開くより前に運転状態にあることが好ましい。あまた、吸込みファンは、出口に設けられたドアが閉じた後も暫くの間運転継続されるのが好ましい。このようなドアの開閉時期と合わせた気流の制御を行うことにより、入室者がエアシャワ室に入る前に通路床上を這う気流を生じさせて、既に通路床上に落ちている毛髪等の塵埃を気流にて補集することができ、更に、入室者が退室後に落下する可能性のある毛髪等の塵埃を、入室者が退室するまで、通路床上を流され続けている気流にて補集することができる。
【発明の効果】
【００１９】
このように、本発明によるエアシャワ装置は、エアシャワ室内の塵埃を速やか捕集することができ、また床面に落下した塵埃も自動的に捕集するため、入室者が清浄作業室に入室する際、靴底に塵埃が付着し、清浄作業室内に塵埃を持ち込むことを防止できる。また、既設の建屋に設置する場合でも通路床をそのまま利用可能であり、建屋の床を掘り下げる等の工事が不要であるため、据付コストの低減を図ることができる。
【発明を実施するための最良の形態】
【００２０】
以下、図面を参照しつつ、この発明によるエアシャワ装置の実施例を説明する。図１は、本発明によるエアシャワ装置の実施例を示す概略断面図である。シャワケース１は、両側の本体ケース２及び本体ケース３と、両本体ケース２，３で支えられ且つそれらの上側を繋ぐ天井ケース４とから構成されている。シャワケース１によって、通路床６上には、エアシャワ室５が門型に囲まれている。本体ケース３の最下部には、通路床６に水平方向又は適当な吹き当てる角度に吹出し口７が開口して設けられている。また、本体ケース２の最下部には、吹出し口７に対向する状態で、吸込み口８が通路床６に水平方向に開口して設けられている。
【００２１】
本体ケース２の下部には、エアジェット用ファン９が配設されており、エアジェット用ファン９によって吹き出された気流は、本体ケース２内に収容されているメインフィルタ１０に送られて、メインフィルタ１０で浄化された後、矢印で示すようにシャワケース１の本体ケース２、天井ケース４及び本体ケース３に供給される。本体ケース２及び本体ケース３には、中段から上部の範囲でエアシャワ室５に面する側壁に多数のエアジェット孔１１が開口して形成されている。エアジェット用ファン９によって吹き出された気流は、エアジェット孔１１からエアシャワ室５内に噴出される。
【００２２】
この実施例では、エアジェット用ファン９は、エアシャワ室５内において通路床６上を這う流れを生じさせる吸込みファンとして用いられている。エアジェット用ファン９から供給される気流は、本体ケース２，３に開口する多数のエアジェット孔１１からエアシャワ室内にエアジェット気流Ｆ１（一部にのみ付す）として吹き出される。入室者の作業着等に付着していた毛髪等の塵埃は、エアジェット気流Ｆ１を浴びることで吹き落とされて通路床６の面上に落下する。シャワケース１内に送られた気流の一部は、吹出し口７から通路床６上を這うように流れる気流Ｆ２となり、通路床６上の塵埃は、気流Ｆ２に捕集され、対面する本体ケース２に設けた吸込み口８から吸い込まれる。吸込み口８には、前処理フィルタ１２が設けられているので、塵埃を含む気流Ｆ２が吸い込まれる際に前処理フィルタ１２で捕集される。エアジェット孔１１から噴出された気流Ｆ１も、吸込み口８から吸い込まれて、ファンケース１内に戻される。
【００２３】
図２は、この発明によるエアシャワ装置の別に実施例を示す概略断面図である。この実施例では、図１示す構成要素等と同等のものについては、図１で用いた符号と同じ符号を付してあるので、再度の説明を省略する。この実施例において、本体ケース３の下部に、吹出し口７から気流を吹き出す吹出しファン１３が設けられている。吹出しファン１３を設けることにより、吸込みファンとしてのエアジェット用ファン９による吸引作用とともに吹出しファン１３の吹出し作用が加わり、吹出し口７からエアシャワ室５に吹き出される通路床６上を這うように流れて吸込み口８に吸い込まれる確実な気流Ｆ３が生じる。吸込み口８から吸込まれたエアは、エアジェット用ファン９によって、シャワケース１の本体ケース２、天井ケース４及び本体ケース３を通り、一部はエアジェット孔１１からエアシャワ室５に吹き出され、残る一部は、再び吹出しファン１３により吹出し口７から吹出される。この循環を常時行うことにより通路床６の面上に落ちている毛髪を含み得る塵埃が、通路床６上を這うように流れる気流Ｆ３によって除去される。
【００２４】
吹出しファン１３については、エアジェット気流を形成するエアジェット用ファン９の動作に関係なく、常時運転、又は内部タイマー等を設け一定時間間隔で運転させることができる。このことにより、床面を這うように流れる気流Ｆ３を形成して、室内に浮遊している塵埃が通路床６の床面に落下しても、その床面を這うように流れる気流Ｆ３により、塵埃は除去され、前処理フィルタ７又はメインフィルタ１０により回収される。
【００２５】
図３は、エアシャワ室の概略横断面図である。図１示す構成要素等と同等のものについては、図１で用いた符号と同じ符号を付してあるので、再度の説明を省略する。図３に示すように、エアシャワ室５の入口２０（外部からの入口）と出口２１（清浄作業室へ通じる出口）にはそれぞれ自動ドア２２，２３が設けられている。自動ドア２２，２３には、それぞれ開扉操作用として、作業者が出入りするときに操作するドア用スイッチ２４，２５が設けられている。ドア用スイッチ２４，２５の作動については、以下に示すように、エアシャワ室５のエアジェット用ファン９又は吹出し用ファン１３の動作に関連させることができる。
【００２６】
図４は、この発明によるエアシャワ装置の一運転形態を示すフローチャートである。図４に示す動作フローにおいては、入室者Ｐが自動ドア２２を通ってエアシャワ室５に入室するために、ドア用スイッチ２４を押す（ステップ１。「Ｓ１」と略す。以下同じ）と、自動ドア２２が開くと同時にエアジェット用ファン９（第２実施例の場合には吹出し用ファン１３を含む。以下、同じ）を作動する（Ｓ２）。エアジェット用ファン９の作動によって、通路床６の床面を這うように流れる気流Ｆ２（第２実施例の場合には気流Ｆ３。以下、同じ）が形成され、通路床６上の落ちている塵埃や毛髪が除去される（Ｓ３）。その後、入室者Ｐがエアシャワ室５に入室し（Ｓ４）、自動ドア２３が閉まる（Ｓ５）。エアジェット孔１１が開口される等によってエアジェット気流Ｆ１が噴射され（Ｓ６）、タイマー等によって適宜時間が経過したときにエアジェットが停止される（Ｓ７）。入室者ＰがエアシャワＦ１を浴び終わると、自動ドア２３が開く（Ｓ８）。入室者Ｐがエアシャワ室５の外に退室する（Ｓ９）と、自動ドア２３が開くと同時にエアジェット用ファン９が停止され（Ｓ１０）、気流Ｆ１，Ｆ２を形成していたエアジェット用ファン９を停止させる。このことにより、省エネ化を図ることができる。
【００２７】
図５は、この発明によるエアシャワ装置の入室時における別の運転形態を示すフローチャートである。図５に示す動作フローは、入室者Ｐがエアシャワ室５に入室する前に気流Ｆ２（Ｆ３）を生ぜしめて、通路床６上に落ちている可能性がある塵埃を予め清掃するためのフローである。即ち、図５に示す動作フローにおいては、エアシャワ室５の入口２０に設けた自動ドア２２の開用スイッチ２４を押す（Ｓ２０）と、それと同時にエアジェット用ファン９（吹出し用ファン１３を含む）を作動させる（Ｓ２１）。上記各実施例における通路床６の床面を這うように流れる気流Ｆ２（Ｆ３）を形成して、通路床６に落下している塵埃の除去を開始する（Ｓ２２）。この時、自動ドア２２はドア開用スイッチ２４を押してから数秒間遅延させて開くように制御する。これにより、入室者Ｐがエアシャワ室５に入室する際、ドア開用スイッチ２４押してから自動ドア２２開くまでの間に、通路床６の床面に落下している塵埃の除去が完了（Ｓ２３）し、清浄化してから入室者Ｐが入室する。その結果、入室者Ｐがエアシャワ室５内に入室したときに通路床６に落下していた塵埃や毛髪を踏むということがないので、塵埃や毛髪が入室者の靴底に付着した状態でクリーンルーム内に持ち込まれることを一層確実に防止することができる。
【００２８】
図６は、この発明によるエアシャワ装置の出室時における別の運転形態を示すフローチャートである。図６に示す動作フローは、入室者Ｐがエアシャワ室５から出る際に気流Ｆ２（Ｆ３）を暫く継続運転して、通路床６上に落ちてくる可能性がある塵埃を清掃するためのフローであり、吹出しファン１３が備わる第２実施例に好適なフローである。即ち、図６に示す動作フローにおいては、エアジェットが作動中（Ｓ３０）に入室者Ｐがエアシャワを浴び、その後、適宜の時刻にエアジェット停止動作が行われる（Ｓ３１）。エアジェット気流を形成するエアジェット用ファンモータ９が停止した後、吹出しファン１３のみの運転を継続させる（Ｓ３２）。エアジェット効果によって入室者Ｐから飛散した塵埃や毛髪は、時間を置いて通路床６上に落ちてくる（Ｓ３３）。吹出しファン１３のみの運転で、通路床６の床面を這うように流れる気流が継続して形成され、塵埃や毛髪が通路床６から除去される（Ｓ３４）。その後、自動ドア２３が開く（Ｓ３５）。入室者Ｐが、開いた自動ドア２３から退室した後、自動ドア２３が閉じて吹出しファン１３が停止する（Ｓ３６）。エアジェット用ファンモータ９の停止（Ｓ３２）から自動ドア２３の開き（Ｓ３５）までの遅延は数秒間であるが、エアジェット気流が停止した後に室内に浮遊していた塵埃や毛髪は、この遅延期間中に落下しても、吹出しファン１３がもたらす気流によって回収することができる。
【００２９】
本発明によるエアシャワ装置は、上記のように、気流の吹出し口７と吸込み口８とを本体ケースの下部に対向した状態に設け、エアシャワ室５内の通路床６の床面を這うような気流を形成することにより、建屋の床をそのまま使用しても、床面に落下した塵埃や毛髪を速やかに除去でき、浮遊している塵埃を速やかに除去し、床面に落下する塵埃を少なくすることができる。なお、清浄作業室に入室した者が室外に出る場合には、入室する場合ほど塵埃や毛髪に注意する必要はないが、エアシャワ室５を通じて出る場合に塵埃を落とす可能性はゼロではないので、ドア用スイッチ２５の作動に応じて、ドアスイッチ２４の作動の際と同様の気流制御を行わせることができる。
【図面の簡単な説明】
【００３０】
【図１】本発明によるエアシャワ装置の一実施例を示す概略縦断面図。
【図２】本発明によるエアシャワ装置の別の実施例を示す概略縦断面図。
【図３】図１又は図２に示すエアシャワ装置の概略横断面図。
【図４】本発明によるエアシャワ装置におけるエアシャワ制御の一例を示すフロー図。
【図５】本発明によるエアシャワ装置における入室の際におけるエアシャワ制御の別例を示すフロー図。
【図６】本発明によるエアシャワ装置における出室の際におけるエアシャワ制御の別例を示すフロー図。
【符号の説明】
【００３１】
１…シャワケース
２，３…本体ケース
４…天井ケース
５…エアシャワ室
６…通路床
７…吹出し口
８…吸込み口
９…エアジェット用ファン
１０…メインフィルタ
１１…エアジェット孔
１２…前処理フィルタ
１３…吹出し用ファン
２０…入口
２１…出口
２２…入口側自動ドア
２３…出口側自動ドア
２４…入口側自動ドア開用スイッチ
２５…出口側自動ドア開用スイッチ
【図１】
2006010121.tif 000003
【図２】
2006010121.tif 000004
【図３】
2006010121.tif 000005
【図４】
2006010121.tif 000006
【図５】
2006010121.tif 000007
【図６】
2006010121.tif 000008